(57)【要約】【課題】冷凍温度帯に設定された庫内に、断熱剤と蓄冷剤で構成された着脱可能なケースを設け、温かい食品等をすぐに収納して急速冷凍することができるようにすること。【解決手段】冷凍温度帯に設定された庫内に、食品等３５を収納するケース２２の少なくとも下面の一部に下部より断熱材３２と蓄冷剤３３と熱伝導性の良い材質で形成されたプレート３４の順に設け、ケース２２に冷気を供給する冷気吹出し口から強制冷却し、ケース２２内に熱い食品をいれて急速冷凍することができる。【選択図】図３
2005308294.tif 000002
【特許請求の範囲】
【請求項１】
冷凍温度帯に設定された庫内に食品等を収納するケースを備え、前記ケースの少なくとも下面の一部に下部より真空断熱材と、蓄冷剤と、熱伝導性の良い材質で形成されたプレートとを順に備え、前記ケースに冷気を供給する冷気吹出し口と、前記ケース内に収納した食品等を急冷急凍することができる急冷急凍手段と、前記ケース内の温度を所定の温度で維持するための冷却手段と加熱手段とセンサーとからなる温度制御手段を備えた冷凍冷蔵庫。
【請求項２】
冷凍温度帯に設定された庫内に設けられた食品等を収納するケースは、前記ケースの高さが２０ｍｍから２００ｍｍの間で自由に調節可能である請求項１に記載の冷凍冷蔵庫。
【請求項３】
冷凍温度帯に設定された庫内に設けられた食品等を収納するケースは、前記ケースの材質が金属以外の材質であり、前記ケースは着脱可能である請求項１または２に記載の冷凍冷蔵庫。
【請求項４】
冷凍温度帯に設定された庫内に設けられた食品等を収納するケースは、前記ケースの面積が３３０ｃｍ２から１２２５ｃｍ２の間であり、前記ケースを着脱して冷蔵温度帯に設定された庫内に装着可能である請求項１から３のいずか一項に記載の冷凍冷蔵庫。
【請求項５】
冷凍温度帯に設定された庫内に設けられた食品等を収納するケースは、前記ケースの一部に金属以外の材質で構成された持ち手が設けられている請求項１から４のいずか一項に記載の冷凍冷蔵庫。
【請求項６】
冷凍温度帯に設定された庫内に設けられた食品等を収納するケースは、前記ケースを水などで丸洗いすることができる構造である請求項１から５のいずか一項に記載の冷凍冷蔵庫。
【発明の詳細な説明】
【技術分野】
【０００１】
本発明は、冷凍温度帯に設定された庫内に食品等を収納するケースを備えた冷凍冷蔵庫に関するものである。
【背景技術】
【０００２】
近年、女性の社会進出の増加などの理由により家庭で家事に費やすことができる時間が減少方向にある中で、調理にまとまった時間を費やすことは難しく、朝から夕方までの少しの時間を上手く利用して調理をするという人が増えてきている。例えば、煮込み時間が長くかかるカレー、シチュー、おでんなどは、朝の忙しい時間に調理してから出勤し、帰宅してから温めるだけですぐ食べられるようにしておく場合、夕食後に次の日の煮込み料理も作っておく場合、夕食に食べた煮込み料理の残りを次の日までストックしておく場合などがある。これらは、煮込み料理の温度が調理直後で８５℃程度あるものを４０℃くらいの人肌程度の温度になるまで３時間以上室温で冷ましてから冷蔵庫にいれる方法が一般的であった。
【０００３】
また、湯冷ましや冷茶を作る場合、沸騰させた湯またはお茶を３０分程度流水などで冷却した後、冷蔵庫にいれる方法が一般的であった。
【０００４】
また、朝、昼、夕とご飯を炊くことは少なくなり、８割以上のご家庭の冷凍室にはラップや容器で包装したご飯が冷凍されているという調査結果もあることから、時間のないときは冷凍ご飯を解凍して食べている場合も多いことがわかる。しかしながら、ラップで包んだ炊きたてもしくは保温していたご飯の温度は８０℃程度あり、冷凍室にいれるまでに８０分以上室温で少なくともご飯の温度が４０℃くらいの人肌程度の温度になるまで冷ましてから冷凍する方法が一般的であった。
【０００５】
また、シャーベットやアイスクリームを手作りする場合は、ジュース、砂糖、牛乳、卵などの材料を温めながら攪拌し、容器に移して、室温であら熱をとってから冷凍庫にいれて、３０分に一回程度かき混ぜながら冷凍する方法が一般的であった。
【０００６】
また、日本の家族団欒に代表されるもののひとつとして、休日の夕食に家族でひとつの鍋をかこんで、鍋、焼肉、たこ焼き、お好み焼きパーティなどをすることがある。夕食の時間は普段より長く２時間くらいかかるのが一般的であるが、この間お肉やお魚などはそのまま食卓の上に置かれているのが一般的であった。
【０００７】
また、お刺身、素麺、冷やし中華、冷奴、サラダ、フルーツ、ケーキ、ビール、ジュースなど冷やして食べたい食べ物を適温で提供するために、例えば素麺には氷を入れたり、フルーツやケーキは食べる直前に冷蔵庫から出してカットするなどの工夫をしていた。
【０００８】
また、天ぷらは種と揚げ油の温度差が大きいほどカラッとあがるので種につける衣は氷で冷やしながら下準備をしたり、生クリームを攪拌するときは泡立ちやすくなるため氷で冷やしながら攪拌したりと調理の準備に氷を使用することもあった。
【０００９】
また、冷たいサラダに使用するために茹でたブロッコリーやカリフラワー、いんげん、カボチャ、じゃがいもなどの茹で野菜や、衣をつける前のコロッケの種や、春巻きの皮で包む前の春巻きの具や、茶碗蒸しの卵液に混ぜるダシ、ハンバーグに使用する炒めタマネギ、冷製スープにする熱いスープなどは室温であら熱をとってから調理に使用していた。
【００１０】
しかしながら、上記一般的な冷却方法では、調理直後の食品の温度が８０℃以上の高温であるものを４０℃くらいの人肌程度の温度に冷却されるまでに１〜３時間程度の時間を要した。そのため、朝のわずかな時間ではとても時間が足りず、煮込み料理などを冷ましてから冷蔵室にいれることが困難で、特に夏期でキッチンの温度が３０℃以上あるときには菌の繁殖により腐敗してしまう恐れもある。また、夕食後に作ったり、余った煮込み料理、ご飯などを冷ましてから冷蔵室もしくは冷凍室にいれる場合においても、ともすれば入れ忘れてしまいがちになることから、冷めるまでの長時間の間、精神的にも束縛されるなどの課題があった。
【００１１】
また、お茶を流水で冷却すると、サーバーが水でぬれるために手間がかかったり、冷却時間が長くなるとお茶が高温にさらされている時間が長くなり渋みが多く抽出されて、旨みが感じにくいお茶になったりするという課題があった。
【００１２】
また、ご飯の場合では、ご飯の温度が高温から人肌程度に冷却されるまでの時間が長くなると、その間にご飯の中の水分がどんどん外に蒸発し、ラップで覆われているために、ご飯の表面に水分がつき、解凍したときに蒸れた味がして水っぽく感じておいしくなくなるなどの課題があった。かといって、ラップを開けた状態で冷ました場合ではご飯の中の水分が空気中に蒸発してしまう量が多く、ご飯自体の含有する水分が少なくなり、解凍したときにパサパサした食感でおいしくなくなり、ご飯表面部に皺や亀裂の発生、つやがなくなり変色するなどの影響により外観が悪くなるという課題があった。
【００１３】
また、冷凍時に、０℃から−５℃までの最大氷結晶生成帯の通過速度が緩慢であると食品内にできた氷の結晶の体積が増え細胞膜と細胞壁が破れて細胞破壊が生じ、解凍した時に食感に弾力がなくなったり、破壊された細胞内部の水分が外部に流出することでドリップ量が多くなるために食感が悪くなったりするという課題があった。
【００１４】
また、シャーベットやアイスクリームをつくる場合は、室温であら熱をとっている間にシャーベットやアイスクリーム原液の水分と固形分が分離してきて濃度の濃いところと薄いところで味の差ができやすく、また冷凍中に何回か攪拌するため、凍結速度が０．０５℃／分以下の緩慢冷凍になり、肥大なサイズの氷結晶が生成されるために、シャリシャリとしたきめが粗い食感になってしまう。
【００１５】
また、生クリームの攪拌や天ぷらの衣づけ、素麺、お刺身、フルーツ、ジュースなどの冷却に氷を使うことがあるが、氷のストックが切れていたり、氷が足りなくて困ったり、氷が溶けて水っぽい味になったりする課題もあった。
【００１６】
また、サラダに使用するために茹でたブロッコリーやカボチャなどを室温で冷ますと、高温で保持される時間が長いため、色が悪くなったり、熱に弱いビタミンＣなどは破壊されたりして栄養素の損失と味の劣化などがあるという課題もあった。
【００１７】
また、春巻きの具やコロッケの種やハンバーグの種に使用する炒めタマネギ、茶碗蒸しの卵液に混ぜるダシなどは熱いまま使用すると、春巻きの皮が熱でしなっとなったり、ハンバーグのミンチが劣化したり、茶碗蒸しの卵は６０℃以上で凝固するため熱いダシを混ぜると凝固してしまうため、これらは室温で冷ましていたが、春巻きの具は冷めるまでに４人分で約３時間くらいの時間を要し、調理時間が長くかかるという課題もあった。
【００１８】
また、お鍋や焼肉などをする時は、食事時間の２時間もの間、常に火で加熱している熱いお鍋の付近に生のお肉やお魚が置かれることが多く、生ものの劣化が心配であるという課題もあった。
【００１９】
上記、一般的な冷凍方法を解決する従来の冷凍冷蔵庫には、蓄冷体を有する蓄冷トレイを備えたケースを急冷室内に設けて冷凍を行なうものが提案されている（例えば、特許文献１参照）。
【００２０】
図４、図５は、特許文献１に記載された従来の冷凍冷蔵庫を示すものである。
【００２１】
図４において、１は冷蔵室、２は氷（温）室、３はワイン室、野菜・冷蔵室、チルド室、ソフトフリージング室、冷凍室などに切り替え可能な切替室、４は野菜室、５は冷凍室、６は冷蔵室のハンドル、７は温度調節部、８は冷却器、９はファンである。各室は冷蔵室１の扉外部でハンドル６の上部に設置された温度調節部７で温度設定をしている。また、この温度調節部７では、各室の現在温度を確認することができる上、各室の急速冷凍（急冷）を何分間（何時間）運転する、または何時から何時まで運転する等と時間設定にて設定することができる。
【００２２】
図５は図４の切替室の断面図を示している。図５において、１は冷蔵室、３は切替室、３ａは切替室３に設けられた食品を収納するケース、３ｂは切替室３の床面に設けられた蓄冷トレイ、４は野菜室、１２は切替室３の背面下部に設けられた吸込口、１５は新たに切替室３に収納する温かい食品、１６はすでに切替室３に収納されていた冷却後の食品である。
切替室３の内部にはケース３ａがその中には蓄冷トレイ３ｂが設置されている。切替室３背面部と天井部には冷却器８で冷却されファン９で送風された冷気の吹出口１２ｂ、１２ａが設置されており、ケース３ａを冷却した冷気はケース３ａ前面部の吸込口１３よりケース外に放出され切替室３背面下部の吸込口１４より冷却器８に戻るように構成されている。
【００２３】
温かい食品１５を収納し、温度調節部７によって切替室３の急冷を設定すると吹出口１２より冷気が送られ食品１５を上部より急速に冷やし、さらに蓄冷トレイ３ｂによる直接冷却作用で冷却される。蓄冷トレイ３ｂは斜線部で示されているが、その斜線部には蓄冷剤が入っていて、外郭は金属、例えばアルミ等のトレイによって構成されている。
【特許文献１】特開平１１−２５５５４３号公報
【発明の開示】
【発明が解決しようとする課題】
【００２４】
しかしながら、上記従来の構成では、温かい食品の急速冷凍を独立した切替室３で提案しているが、この切替室３はソフトフリージング室、冷凍室以外にも、ワイン室、野菜・冷蔵室、チルド室に切り替え可能である。そのため、例えばワイン室、野菜・冷蔵室、チルド室などに設定してワインや野菜、チルド食品の貯蔵に使用している場合などにおいては、これらの収納食品を他の冷蔵室や野菜室など保存に適した部屋に移動させてから、温かい食品を切替室にいれなければ、収納していた食品が凍結してしまうと瓶の破損などの危険性や野菜の凍結変性などによる無駄な廃棄が生じてしまうという課題を有していた。
【００２５】
また、ソフトフリージング室、冷凍室に設定していた場合でも、切替室は食品の収納保存のために使用される部屋であり、食品が収納された状態では蓄冷トレイ３ｂの表面に新しい食品を載置するスペースは存在しない場合が多く、温かい食品を新たに載置して急速冷凍させた場合には周囲の食品の温度が上昇して一時的に解凍されることによる品質劣化などの問題があった。
【００２６】
このように、切替室は保存室として使われており、独立した切替室や冷凍室の中に収納した冷凍食品が存在する状況で、温かい食品を急速冷凍させるには、収納冷凍食品の品質劣化や、収納冷凍食品を移動させるなどの手間がかかるという課題を有していた。
【００２７】
また、蓄冷トレイ３ｂは、ケース３内のみで移動可能とされており、ケース３内で使うことが推奨されている。例え、蓄冷トレイｂをケース外に移動して使おうとした場合でも、蓄冷トレイｂを素手で持つと手がくっついて低温火傷になってしまうため、フキンや手袋を着用するなどの手間がかかる。
【００２８】
また、蓄冷トレイｂを無理やり取り出した場合においても、所定時間を経過すると、蓄冷トレイｂと空気温度の温度差による結露水が生じて水滴により蓄冷トレイｂの底が水浸しになるなどの課題があった。
【００２９】
また、ケース３内には食品が保存されているのが常であるために、蓄冷トレイ３ｂを取り出すには収納している食品をとりださないといけないという課題があった。
【００３０】
また、ケース３内には温度検知手段がないため、ケース３内に収納される食品の種類や量にかかわらず、一定の冷却を行っており、食品の量が多すぎると凍結速度が遅くなり、食品の品質が劣化するなどの課題があった。
【００３１】
本発明は、上記従来の課題を解決するもので、冷凍温度帯に設定された庫内に食品等を収納できる専用のケースを備え、前記ケースは真空断熱材と畜冷剤と熱伝導性の良い材質で形成されたプレートで構成されていることにより、冷凍温度帯に設定された庫内の温度を上昇させないので、もとから収納していた冷凍食品を移動させる手間がなく、冷凍食品の品温を上昇させることなく、新しく急速冷凍したい食品を温かいまますぐに冷凍室のケース内にいれることができるため、簡便性とおいしさの両方がベネフィットとなる冷凍冷蔵庫を提供する。また、ケースは着脱可能であり、冷凍温度帯に設定された庫内から取り外し、冷蔵温度帯や室温で使用することができ、この場合においても素手で触れて安全に使用でき、水滴がつかずに使用でき、水で丸洗いできるので衛生的に使用できることを目的とする。
【課題を解決するための手段】
【００３２】
上記従来の課題を解決するために、本発明の冷凍冷蔵庫は、冷凍温度帯に設定された庫内に食品等を収納するケースを備え、前記ケースの少なくとも下面の一部に下部より真空断熱材と、蓄冷剤と、熱伝導性の良い材質で形成されたプレートとを順に備え、前記ケースに冷気を供給する冷気吹出し口と、前記ケース内に収納した食品等を急冷急凍することができる急冷急凍手段と、前記ケース内の温度を所定の温度で維持するための冷却手段と加熱手段とセンサーとからなる温度制御手段を備えたものである。
【００３３】
これによって、冷凍温度帯に設定された庫内に設けた食品等を収納するケースに温かい食品をいれても、断熱材の断熱効果によりケース外の冷凍室内の温度上昇を抑制し、元から冷凍室内に収納されていた冷凍食品の温度を上昇させることなく、さらに温かい食品の熱を熱伝導性の良い材質のプレートで伝導し、その熱を蓄冷剤ですばやく奪い、かつ急冷急凍設定することで、冷気吹出し口から強制的に冷気を送風することで食品を急速に凍結させることが可能となる。
【発明の効果】
【００３４】
本発明の冷凍冷蔵庫は、温かい食品をすぐに冷凍温度帯に設定された庫内に設けた専用ケースにいれることができ、真空断熱材の断熱効果により専用ケース外の冷凍室内の温度上昇を抑制し、さらに温かい食品の熱を熱伝導性の良い材質のプレートで伝導し、その熱を蓄冷剤ですばやく奪うことが可能となるので、温かい食品の急速な冷却が可能となるとともに庫内の温度上昇を抑制するので庫内に既に収納されていた食品の品質を保持することができる。
【発明を実施するための最良の形態】
【００３５】
請求項１に記載の発明は、冷凍温度帯に設定された庫内に食品等を収納するケースを備え、前記ケースの少なくとも下面の一部に下部より真空断熱材と、蓄冷剤と、熱伝導性の良い材質で形成されたプレートとを順に備え、前記ケースに冷気を供給する冷気吹出し口と、前記ケース内に収納した食品等を急冷急凍することができる急冷急凍手段と、前記ケース内の温度を所定の温度で維持するための冷却手段と加熱手段とセンサーとからなる温度制御手段を備えることにより、冷凍温度帯に設定された庫内に、食品等を収納するケースに温かい食品をいれた場合、食品の熱を熱伝導性の良い材質のプレートで伝導し、その熱を蓄冷剤ですばやく奪うことができるため温かい食品をすぐにケース内にいれることができ、さらに急冷急凍設定することで、冷気吹出し口から強制的に冷気を送風することで食品を急速に冷却または冷凍させることにより、温かい食品をすぐに区画されたスペースにいれることができ、かつ冷凍室内にもとから収納していた冷凍食品を移動させる手間を省くことができる。また、断熱材の断熱効果により、周囲の温度上昇を抑制させるために、冷凍室内にもとから収納していた冷凍食品の品質を保持することができる。また、蓄冷されたケースを冷凍温度帯から温度差のある冷蔵温度や室温で使用した場合にも、断熱材で熱の進入を防ぐために、ケースが結露水で水浸しになることがなく、衛生的に使用することができる。
【００３６】
請求項２に記載の発明は、請求項１に記載の発明の冷凍温度帯に設定された庫内に設けられた食品等を収納するケースは、前記ケースの高さが２０ｍｍから２００ｍｍの間で自由に調節可能とすることにより、食品をいれることができずデッドスペースとなりがちであった冷凍室の天面部を有効利用できると共に、ケースの高さを２０ｍｍから２００ｍｍとすることで急速冷凍する食品の大きさや容器にあった必要最低限のケース高さにすることができるため、冷凍温度帯に設定された庫内に通常収納できる冷凍食品の量に影響がでることなく無駄な収納空間を少なく提供することができる。ケースを急速冷凍として使用しない場合においては、ケースを天面に密着した形で収納することができ、普段使用しない蓄冷剤や非常食などの保存に使用しても良い。
【００３７】
請求項３に記載の発明は、請求項１または２に記載の発明の冷凍温度帯に設定された庫内に設けられた食品等を収納するケースは金属以外の材質で形成され、前記ケースは着脱可能であることにより、冷凍温度帯に設定された庫内からケースを取り出して、キッチンや食卓などに移動して使用することができ、熱いもののあら熱をすばやく奪ったり、冷たいものの保冷などに使うことができる。
【００３８】
請求項４に記載の発明は、請求項１または３に記載の発明の冷凍温度帯に設定された庫内に設けられた食品等を収納するケースは、前記ケースの面積が３３０ｃｍ２から１２２５ｃｍ２の間であり、冷蔵温度帯に設定された庫内にケースを移動することができ、熱いお茶や熱い鍋などを冷蔵温度帯に設定された庫内に直接いれても、蓄冷剤により熱い熱をすばやく奪い、断熱材により伝熱を遮断するため、冷蔵温度帯に保存していた食品に悪影響を与えることなく、安心して熱いままいれることができる。
【００３９】
請求項５に記載の発明は、請求項１から４に記載の発明の冷凍温度帯に設定された庫内に設けられた食品等を収納するケースは、前記ケースの一部に金属以外の材質で形成された持ち手が設けられていることにより、ケースの着脱と装着が容易になり、蓄冷されたケースを持ったときに手を低温火傷することなく安全に使用することができる。
【００４０】
請求項６に記載の発明は、請求項１から５に記載の発明の冷凍温度帯に設定された庫内にもうけられた食品等を収納するケースは、前記ケースを水などで丸洗いすることができる構造であることにより、食品を直接ケースに載置しても清潔に使用することができ、接触面積の増加により保冷効果をより高めることができる。
【００４１】
以下、本発明の実施の形態について、図面を参照しながら説明する。なお、この実施の形態によってこの発明が限定されるものではない。
【００４２】
（実施の形態１）
図１は本発明の実施の形態１における冷凍冷蔵庫の縦断面図を示すものであり、図２は、同実施の形態による冷凍温度に設定された庫内に、食品等を収納する区画されたケースの縦断面図を示すものである。
【００４３】
図１において、冷蔵庫本体１７は、上から冷蔵室１８、野菜室１９、切替室２０、冷凍室２１を区画形成しており、冷凍室２１の天面には食品等を急速冷却するために使用されるケース２２が備えられている。
【００４４】
ケース２２は例えば、ＡＢＳなどの材質で形成された底面が幅３００ｍｍ程度で奥行きが２９０ｍｍ程度、高さが５０ｍｍ程度のものである。
【００４５】
ケース２２の高さは２０ｍｍから２００ｍｍの間とする。ケース内にいれたい食品を調査したところ、ご飯やカレーを熱いまま冷凍したいというニーズが最も多かった。それらの高さは主にラップで包むかタッパーにいれるかの収納形態によって異なり、ラップで包んだものは２０ｍｍ程度でタッパーにいれたものは４０ｍｍから１００ｍｍであった。その結果より、ケース内に収納する最も薄い場合として２０ｍｍ、最も高さのある１００ｍｍのタッパーを２つ重ねた場合を想定して２００ｍｍを設定した。
【００４６】
また、ケースの高さを２０ｍｍとした場合はケースの下スペースの高さが２３０ｍｍ以上あるので、食パンなどが収納できる。ケースの高さを２００ｍｍとした場合はケースの下スペースが４０ｍｍ程度あるので、薄い冷凍食品などが収納できる。
【００４７】
尚、ケース２２のサイズは冷却調理のメニューを大きく左右するものであり、目的に応じて様々な材質またはサイズのケースがあってもよい。また、ケース２２の出し入れが容易にできるようにケース前方に持ち手が設けられている。なお、持ち手はケースが容易に着脱可能であればどのような形状でも良い。
【００４８】
冷蔵庫を冷却する冷凍サイクルにおいて、２５は冷却器であり、冷却器２５の上方で冷凍室２１の後方には強制通風用の送風機２６が設けられ、切替室２０の後方には風路制御手段２７を設け、風路制御手段２７の内部に冷蔵室１８、野菜室１９、切替室２０及び冷凍室２１への冷気供給量を調節するダンパー（図示せず）を備えている。冷却器２５で冷却された冷気は送風機２６、風路制御手段２７によって前記各室に送風される。また、冷凍室２１の天面に備えられたケース２２には強制冷却のための冷気吹出し口２８が設けられている。
【００４９】
図２において、冷凍サイクルにおいて圧縮機は２９、サイドコンデンサは３０、キャピラリチューブは３１である。
【００５０】
図３において、ケース２２の下面には断熱材３２が載置され、その上には蓄冷剤３３が載置され、断熱材３２と蓄冷剤３３をアルミプレート３４で覆っている。
【００５１】
断熱材３２は真空断熱材であり、ガス透過を阻止する多層ラミネートフィルムの周囲を溶着した袋内にシリカ、パーライトなどの微粉末、あるいはグラスファイバ、連続気泡の発泡ウレタンなどからなるコア材を挿入した後、袋内のガスを排気し真空状態として密封したものである。真空断熱材には種々の材料が用いられているものがあるが、ガラス繊維を用いているものを使用すると、より断熱性能が高くなる。
【００５２】
蓄冷剤３３は厚みが２．０ｍｍから７．０ｍｍであり、例えば５ｍｍ程度であり、蓄冷のグレードは−５℃から−２０℃であり、例えばグレード−５℃である。尚、蓄冷剤の代りに、蓄冷剤と同じ熱容量をもたせた金属、例えばアルミやステンレス等を使用しても良い。
【００５３】
アルミプレート３４の上には食品等３５が載置される。ケース２２の上部には温度検知手段３６が設けられている。
【００５４】
温度検知手段３６は例えば赤外線センサーなどで、ケース２２に収納された食品等３０の温度を非接触で検知できるものである。尚、アルミプレート３４の材質は熱伝導性の良い材質のものであれば良く、アルミに限定されるものではない。
【００５５】
温度検知手段３６による食品等３５の温度と温度設定手段３７及び温度表示手段３８の情報に基づいて圧縮機２９および送風機２６が設定温度に制御されるようにしている。
【００５６】
以上のように構成された冷凍冷蔵庫について、以下その動作、作用を説明する。
【００５７】
冷凍サイクルを構成する圧縮機２９、サイドコンデンサ３０、キャピラリチューブ３１、冷却器２５の運転、及び送風機２６、風路制御手段２７により、冷蔵室１８、野菜室１９、切替室２０および冷凍室２１は所定の温度に冷却される。
【００５８】
操作パネル２４の冷却調理メニューボタン３９を選択すると、圧縮機２９が高速運転、送風機２６も高速運転し、風路制御手段２７により、冷気吹出し口２８から強制的にスペース２２内に大量の冷気を送風することで、ケース２２に載置した食品等３５を急速冷却または急速冷凍するものである。尚、温度検知手段３６により、食品等３５の温度は検知されており、目的の温度まで食品等３５の温度が到達した時点で強制冷却を終了し、庫内温度が目的の温度に保持されるように制御しながら運転される。
【００５９】
例えば、炊飯したご飯を急速冷凍したい場合は、炊いたご飯は８０℃前後と温かいので、ケース２２に温かいご飯３５を収納して、急速凍結になるように設定すると冷気吹出し口２８より大量の冷気が送られ温かいご飯３５を急速に冷やし、さらにアルミプレート３４によりすみやかに温かいご飯３５の温度を蓄冷剤３３に伝え、蓄冷剤３３による直接冷却作用で冷却される。このとき、温かいご飯３５の品温は温度検知手段３６により検知されており、温かいご飯３５の品温が−１８℃以下になるまで強制冷却される。また、蓄冷剤３３で熱を奪いきれず、ケース２２内温度が上昇したとしても断熱材３２により、冷凍室２１内の温度上昇は抑制される。この時の温かいご飯の温度は、初期温度が約９０℃で、２℃／分の冷却速度で約４０分後に０℃に達し、約０．２５℃／分の凍結速度で約６０分後に−５℃に達し、約８０分後に−２０℃に到達した。
【００６０】
従来であれば温かい食品を収納すると冷凍室内の庫内温度が上昇し、すでに収納されている冷凍食品に悪影響を与えるので、温かい食品をすぐに冷凍室に入れることはしなかった。そのため温かいご飯を冷凍する場合は、温かいご飯が室温程度になるまで冷ましてから冷凍室にいれる必要があった。その時の温かいご飯の温度は、初期温度が約９０℃で約１６０分後に室温の２５℃に達し、冷凍室２１に入れて、０．４℃／分の冷却速度で約１８０分後に０℃に達し、約０．０５℃／分の凍結速度で約２８０分後に−５℃に達し、約３５０分後に−２０℃に到達した。この方法では、冷凍室に入れられる室温程度の温度まで冷ましてからいれるまでに約１６０分かかるため、ともすると忘れてしまったり、その後の作業が残るために精神的にも落ち着かない。また、ご飯をゆっくり冷ましている間にもご飯中の水分が蒸発し、表面部の乾燥によりご飯の食感が悪くなり、外観に皺がよるなどの劣化がみられる。また、ご飯が高温にさらされている時間が長くなるため、アミノカルボニル反応によるご飯が黄化するなどの劣化もみられる。
【００６１】
本実施の形態で示した方法では、従来のご飯の冷凍に比べ、解凍後も炊きたてと同様のおいしさが得られるものであり、大幅な家事の削減の効果がある。
【００６２】
従来の冷凍室２１では面倒であったアイスクリームやシャーベットなども簡単に作ることができる。例えば、牛乳、生クリーム、砂糖、卵などの材料を加熱して温めながら砂糖を溶かしながらかき混ぜたものを、プリンカップなどにいれたものを、ケース２２にいれ、急凍設定すると冷気吹出し口２８より大量の冷気が送られプリンカップにいれたアイスクリーム３５を急速に冷やし、さらにアルミプレート３４によりすみやかにアイスクリーム３５の温度を蓄冷剤３３に伝え、蓄冷剤３３による直接冷却作用で冷却される。アイスクリームの原液の初期温度は６０℃ちかくあるが、すぐにケース２２にいれることができる。アイスクリームは急速凍結され、約１時間後にはおいしい手作りアイスクリームを食べることができるので、例えばお昼ご飯を食べ終わった後に片付けついでにアイスクリームをセットするとおやつの時間には手作りアイスクリームができていることとなり、無添加でおいしい手作りアイスクリームを子供に食べさせることも可能となる。
【００６３】
従来であれば、牛乳、生クリーム、砂糖、卵などの材料を加熱して温めながら混ぜ合わせ、室温で冷ましてから、冷凍室に入れた後、氷結晶を細かく砕いて舌さわりを滑らかにするために、冷凍室から数回とりだして攪拌する必要があり、アイスクリームの作成時間が１２時間以上と、大変な労力と時間を費やさなければ手作りアイスクリームを美味しく作ることはできなかった。
【００６４】
これにより、従来よりもアイスクリームの作成時間を大幅に短縮できると共に、おいしさも向上するというメリットがある。
【００６５】
また、アイスクリームの食べごろ温度は−１２℃くらいがスプーンですくいやすく舌触りもやわらかく食べやすいので、例えば温度検知手段３６でアイスクリームの品温を感知し、アイスクリームの品温が−１２℃に到達した時点で冷却をやめ、−１２℃で保存していつでも食べごろになるようにしてもよい。また、アイスクリームの品温が−１２℃に到達した時点で音声などでお知らせをすると、よりはやく食べごろでアイスクリームを提供することが可能となる。
【００６６】
さらに、ケースを冷凍温度帯に設定された庫内から取り出して冷蔵温度帯に設定された庫内に装着して使用したり、キッチンや食卓で使用することができる。
【００６７】
従来であれば、沸かしたての熱いお茶やシチューなどを冷蔵温度帯に設定された庫内にいれることは、他の食品に悪影響を与えるので、できなかった。
【００６８】
冷蔵温度帯に設定された庫内に移動して使用する場合、例えば沸かしたての熱いお茶やシチューなど調理直後の鍋を熱いまますぐに冷蔵温度帯に設定された庫内にセットしたケースの上にいれることができるので、時間短縮が図れる。従来であれば、熱いお茶は室温で冷ますか、流水で冷ますことが多く、後者の流水冷却では熱いお茶の温度が約４０℃の一肌程度の温度に冷めるまでの時間は約２４分かかっていた。しかし、熱いお茶をケースに載置した場合では約１５分で４０℃まで冷却されるので、お茶のサーバーをぬらさずに簡便にはやく冷却することができる。かつ、お茶が高温にさらされている時間が短縮されることで、お茶の色素の変色を抑制し、例えば緑茶であればきれいな緑色を呈した冷茶をつくることができ、熱に弱いビタミンＣなどの損傷を防ぎ、栄養素の保持率が従来よりも高くなる。
【００６９】
また、従来であれば、熱い調理直後のシチュー鍋を室温で冷却する場合、調理直後の鍋の温度が８５℃程度であったものが、４０℃程度の一肌温度まで冷めるのに１９３分もかかっていたが、ケースの上に載置した場合では４０℃まで約５５分で冷却することができるので従来よりも約７５％も時間短縮をすることができる。また、シチュー鍋の蓋をあけて、５分に１回程度攪拌することで４０℃まで約１７分で冷却することができ、大幅な時間短縮が期待できる。
【００７０】
また、従来は生クリームの攪拌をするときは、生クリームをいれたボールの下に氷をいれたボールをあてて生クリームを攪拌するのが一般的であったが、氷のストックがないときは攪拌がうまくいかなかったり、ボールを２つも使用しなければならず無駄に洗い物が増えるなど手間がかかったが、ケースの上に生クリームをいれたボールを載置して攪拌した場合、使い勝手がよく、生クリームを攪拌することができる。
【００７１】
また、お刺身や素麺、冷やし中華、冷奴、ジュースなど冷やして食べた方がおいしいものの冷却にはしばしば氷を使うことがあり、この方法では氷が溶けて水っぽい味になったりする場合があったが、これもケースを使うことで水っぽくならずにかつお刺身の場合で２１９分もの間７℃以下で保冷することができ、優れた保冷能力を発揮することができる。
【産業上の利用可能性】
【００７２】
以上のように、本発明にかかる冷凍冷蔵庫は、冷凍温度帯に設定された庫内に断熱材と蓄冷剤で構成された着脱可能なケースを設けることで、ケース内に温かい食品等を直接収納でき、かつケースを着脱し、庫外で熱いものを冷却したり、冷たいものを保冷したりする使い方を提案できるもので、この技術は冷凍冷蔵庫以外においても例えば、システムキッチン内で周りの空室温度と異なる温度帯をつくる等の用途にも適用できる。
【図面の簡単な説明】
【００７３】
【図１】本発明の実施の形態１における冷凍冷蔵庫の縦断面図
【図２】同実施の形態の冷凍冷蔵庫の冷凍サイクル配管の透視図
【図３】同実施の形態の冷凍冷蔵庫の冷凍室内に設置したケースの縦断面図
【図４】従来の冷凍冷蔵庫の正面図
【図５】従来の冷凍冷蔵庫の切換え室の断面図
【符号の説明】
【００７４】
１７    冷凍冷蔵庫
２１    冷凍室
２２    ケース
２３    冷蔵室扉
２４    操作パネル
２８    冷気吹出し口
３２    断熱材
３３    蓄冷剤
３４    プレート
３６    温度検知手段
【図１】
2005308294.tif 000003
【図２】
2005308294.tif 000004
【図３】
2005308294.tif 000005
【図４】
2005308294.tif 000006
【図５】
2005308294.tif 000007